(57)【特許請求の範囲】
【請求項１】
トラフィック検出デバイスであって、
前記トラフィック検出デバイスは、プロセッサと、前記プロセッサに結合されたメモリとを備え、
前記メモリは、実行可能な命令を記憶しており、前記命令は、前記プロセッサによって実行されると、
オフロードおよびＥＰＣルーティングトラフィックのうちの少なくとも一方のパケット検査を実行することにより、データフローの特性を検出することと、
前記データフローの特性の変化を検出することに基づいて、前記データフローの特性をＬＡＮアクセスネットワークおよびＬＡＮゲートウェイに通知することと
を含む動作を前記トラフィック検出デバイスに行わせる、トラフィック検出デバイス。
【請求項２】
前記パケット検査は、ディープパケット検査である、請求項１に記載のトラフィック検出デバイス。
【請求項３】
前記パケット検査は、シャローパケット検査である、請求項１に記載のトラフィック検出デバイス。
【請求項４】
前記トラフィック検出デバイスは、サービスの質ポリシーを受信することをさらに含む動作を行うように構成されており、前記データフローの特性を前記ＬＡＮアクセスネットワークおよびＬＡＮゲートウェイに通知することは、前記サービスの質ポリシーに従って前記データフローの異なる処理を必要とする前記データフローの特性の変化を条件とする、請求項１に記載のトラフィック検出デバイス。
【請求項５】
ネットワーク内のＷｉＦｉサービスの質を管理する方法であって、前記方法は、
トラフィック検出デバイスが、サービスの質ポリシーを受信することと、
前記トラフィック検出デバイスが、オフロードおよびＥＰＣルーティングトラフィックのうちの少なくとも一方のパケット検査を実行することにより、データフローの特性を検出することと、
前記データフローの特性の変化がサービスの質ポリシーに従って前記データフローの異なる処理を必要とする場合、前記トラフィック検出デバイスが、前記データフローの特性をＬＡＮアクセスネットワークおよびＬＡＮゲートウェイに通知することと
を含む、方法。
【請求項６】
前記パケット検査は、ディープパケット検査である、請求項５に記載の方法。
【請求項７】
前記パケット検査は、シャローパケット検査である、請求項５に記載の方法。
【発明の詳細な説明】
【技術分野】
【０００１】
（関連出願の引用）
本願は、米国仮特許出願第６１／８８０，４２１号（２０１３年９月２０日出願、名称「Ｍｏｂｉｌｅ  Ｎｅｔｗｏｒｋ  Ｏｐｅｒａｔｏｒ  （ＭＮＯ）  Ｃｏｎｔｒｏｌ  ｏｆ  ＷｉＦｉ  ＱｏＳ  Ｂａｓｅｄ  ｏｎ  Ｔｒａｆｆｉｃ  Ｄｅｔｅｃｔｉｏｎ  ａｎｄ  ＤＳＣＰ  Ｍａｐｐｉｎｇ  ｉｎ  Ｔｒｕｓｔｅｄ  ＷＬＡＮ  Ａｃｃｅｓｓ  ａｎｄ  Ｎｅｔｗｏｒｋｓ」Ｔｏｍｉｃｉ、他）の利益を主張し、上記出願の開示は、その全体が参照により本明細書に引用される。
【背景技術】
【０００２】
モバイルネットワークオペレータは、加入者に、セルラーおよびＷｉＦｉ技術の両方を使用して、管理されたネットワークアクセスを提供する。モバイルネットワークオペレータは、その二重モード加入者のためのインターネットベースのトラフィックをオフロードするための方法として、ＷｉＦｉを使用することができる。現在のアプローチでは、モバイルネットワークオペレータは、ＷｉＦｉが利用可能であるとき、インターネットアクセスのためにＷｉＦｉを使用するようにハンドセットアプリケーションを条件付きで構成し得る。例えば、モバイルネットワークは、アプリケーションが低モビリティシナリオにあり、それらがＷｉＦｉホットスポット内にある場合、ＷｉＦｉを使用するようにアプリケーションを構成し得る。
【発明の概要】
【課題を解決するための手段】
【０００３】
本明細書に開示されるのは、信頼無線ローカルエリアネットワーク（ＷＬＡＮ）アクセスネットワーク（ＴＷＡＮ）による、ユーザ機器（ＵＥ）または他のネットワーク端末デバイスに提供される進化型パケットコアネットワーク（ＥＰＣ）へのアクセスのサービスの質（ＱｏＳ）を制御するための方法、デバイス、およびシステムである。ＱｏＳは、種々のネットワークデバイスへのサービスの質ポリシー情報の提供および配信と、データトラフィックフローおよびその特性の監視と、ポリシー情報に従った区別化サービスコードポイント（ＤＳＣＰ）マーキングと８０２．１１．ｅユーザ優先度（ＵＰ）との調整とによって、モバイルネットワークオペレータ（ＭＮＯ）によって制御される。本ＱｏＳ管理方式は、例えば、ＵＥまたは他のネットワーク端末デバイスへおよびそこからのオフロードまたは進化型パケットコアルーティングＷｉＦｉトラフィックのために使用され得る。
【０００４】
本概要は、発明を実施するための形態において以下でさらに説明される、簡略化形態の概念の選択を導入するように提供される。本概要は、請求された主題の主要な特徴または不可欠な特徴を識別することを目的としておらず、また、請求された主題の範囲を限定するために使用されることも目的としていない。さらに、請求された主題は、本開示の任意の部分で記述されるいずれかまたは全ての不利ポイントを解決する制限に限定されない。
例えば、本願は以下の項目を提供する。
（項目１）
プロセッサと、前記プロセッサと連結されているメモリとを備えているＷｉＦｉサービスの質マネージャデバイスであって、前記メモリは、実行可能命令を記憶しており、前記命令は、前記プロセッサによって実行されると、
第１のサービスの質ポリシーをパケットデータネットワークデバイスから受信することと、
第２のサービスの質ポリシーを信頼無線ＬＡＮゲートウェイに送信することと、
第３のサービスの質ポリシーを無線ＬＡＮアクセスネットワークに送信することと、
第４のサービスの質ポリシーをパケットデータネットワークゲートウェイに送信することと
を含む動作を前記ＷｉＦｉサービスの質デバイスに達成させる、ＷｉＦｉサービスの質マネージャデバイス。
（項目２）
一組の加入者のクラスまたは一組のデータフローのタイプに従って、前記第１、第２、第３、および第４のサービスの質ポリシーが、提供されるべきサービスの質を区別するようにさらに構成されている、項目１に記載のＷｉＦｉサービスの質マネージャデバイス。
（項目３）
第５のサービスの質ポリシーをトラフィック検出デバイスに送信することをさらに含む動作を達成するように構成されている、項目１に記載のＷｉＦｉサービスの質マネージャデバイス。
（項目４）
プロセッサと、前記プロセッサと連結されているメモリとを備えているトラフィック検出デバイスであって、前記メモリは、実行可能命令を記憶しており、前記命令は、前記プロセッサによって実行されると、
パケット検査を行い、データフローの特性を検出することと、
ＬＡＮアクセスネットワークおよびＬＡＮゲートウェイに、前記データフローの特性を通知することと
を含む動作を前記トラフィック検出デバイスに達成させる、トラフィック検出デバイス。
（項目５）
前記パケット検査は、ディープパケット検査である、項目４に記載のトラフィック検出デバイス。
（項目６）
前記パケット検査は、シャローパケット検査である、項目４に記載のトラフィック検出デバイス。
（項目７）
サービスの質ポリシーを受信することをさらに含む動作を達成するように構成され、前記ＬＡＮアクセスネットワークおよびＬＡＮゲートウェイに、前記データフローの特性を通知することは、前記サービスの質ポリシーに従って前記データフローの異なる処理を要求する、前記データフローの特性の変化を条件とする、項目４に記載のトラフィック検出デバイス。
（項目８）
プロセッサと、前記プロセッサと連結されているメモリとを備えている無線ＬＡＮアクセスネットワークであって、前記メモリは、実行可能命令を記憶しており、前記命令は、前記プロセッサによって実行されると、
サービスの質ポリシーを受信することと、
データフローの特性の通知を受信することと、
前記サービスの質ポリシーおよび前記データフローの特性に従って、区別化サービスコードマーキングを８０２．１１．ｅユーザ優先度にマップすることと、
前記サービスの質ポリシーおよび前記データフローの特性に従って、ダウンリンク８０２．１１．ｅ媒体アクセス制御フレームを処理することと
を含む動作を前記無線ＬＡＮアクセスネットワークに達成させる、無線ＬＡＮアクセスネットワーク。
（項目９）
プロセッサと、前記プロセッサと連結されているメモリとを備えている信頼無線ＬＡＮゲートウェイであって、前記メモリは、実行可能命令を記憶しており、前記命令は、前記プロセッサによって実行されると、
サービスの質ポリシーを受信することと、
データフローの特性の通知を受信することと、
前記サービスの質ポリシーおよび前記データフローの特性に従って、アップリンク区別化サービスコードマーキングを８０２．１１．ｅユーザ優先度にマップすることと
を含む動作を前記信頼無線ＬＡＮゲートウェイに達成させる、信頼無線ＬＡＮゲートウェイ。
（項目１０）
プロセッサと、前記プロセッサと連結されているメモリとを備えている進化型パケットコアネットワークゲートウェイであって、前記進化型パケットコアネットワークゲートウェイは、実行可能命令を記憶している前記メモリによって構成され、前記命令は、前記プロセッサによって実行されると、
サービスの質ポリシーを受信することと、
データフローの特性の通知を受信することと、
前記サービスの質ポリシーおよび前記データフローの特性に従って、ダウンリンク区別化サービスコードマーキングを８０２．１１．ｅユーザ優先度にマップすることと
を含む動作を前記信頼無線ＬＡＮゲートウェイに達成させる、進化型パケットコアネットワークゲートウェイ。
（項目１１）
ネットワーク内のＷｉＦｉサービスの質を管理する方法であって、前記方法は、
第１のサービスの質ポリシーをパケットデータネットワークデバイスから受信することと、
第２のサービスの質ポリシーを信頼無線ＬＡＮゲートウェイに送信することと、
第３のサービスの質ポリシーを無線ＬＡＮアクセスネットワークに送信することと、
第４のサービスの質ポリシーをパケットデータネットワークゲートウェイに送信することと
を含む、方法。
（項目１２）
前記第１、第２、第３、および第４のサービスの質ポリシーは、一組の加入者のクラスまたは一組のデータフローのタイプに従って、提供されるべきサービスの質を区別する、項目１１に記載の方法。
（項目１３）
第５のサービスの質ポリシーをトラフィック検出デバイスに送信することをさらに含む、項目１１に記載の方法。
（項目１４）
ネットワーク内のＷｉＦｉサービスの質を管理する方法であって、前記方法は、
サービスの質ポリシーを受信することと、
パケット検査を行い、データフローの特性を検出することと、
前記データフローの特性の変化が、サービスの質ポリシーに従って前記データフローの異なる処理を要求する場合、ＬＡＮアクセスネットワークおよびＬＡＮゲートウェイに、前記データフローの特性を通知することと
を含む、方法。
（項目１５）
前記パケット検査は、ディープパケット検査である、項目１４に記載の方法。
（項目１６）
前記パケット検査は、シャローパケット検査である、項目１４に記載の方法。
（項目１７）
無線ＬＡＮ上のトラフィックを管理する方法であって、前記方法は、
サービスの質ポリシーを受信することと、
データフローの特性の通知を受信することと、
前記サービスの質ポリシーおよび前記データフローの特性に従って、区別化サービスコードマーキングを８０２．１１．ｅユーザ優先度にマップすることと、
前記サービスの質ポリシーおよび前記データフローの特性に従って、ダウンリンク８０２．１１．ｅ媒体アクセス制御フレームを処理することと
を含む、方法。
（項目１８）
信頼無線ＬＡＮゲートウェイ上のトラフィックを管理する方法であって、前記方法は、
サービスの質ポリシーを受信することと、
データフローの特性の通知を受信することと、
前記サービスの質ポリシーおよび前記データフローの特性に従って、アップリンク区別化サービスコードマーキングを８０２．１１．ｅユーザ優先度にマップすることと
を含む、方法。
（項目１９）
進化型パケットコアネットワークゲートウェイ上のトラフィックを管理する方法であって、前記方法は、
サービスの質ポリシーを受信することと、
データフローの特性の通知を受信することと、
前記サービスの質ポリシーおよび前記データフローの特性に従って、ダウンリンク区別化サービスコードマーキングを８０２．１１．ｅユーザ優先度にマップすることと
を含む、方法。
【図面の簡単な説明】
【０００５】
添付の図面と併せて一例として挙げられる、以下の説明から、より詳細に理解され得る。
【図１】図１は、ＴＷＡＮとの通信により進化型パケットコアネットワークへのアクセスを有するユーザ機器を描写する、システムブロック図である。
【図２】図２は、デフォルトサービスの質ポリシーを確立する方法を図示する、信号流れ図である。
【図３】図３は、ＴＷＡＮへのユーザ機器のアタッチと、ベアラの後続認証および確立とを図示する、信号流れ図である。
【図４】図４は、デフォルトポリシーに基づいて、ＤＳＣＰマーキングを設定し、続いて、検出されたトラフィックに基づいて、マーキングを改変する方法を図示する、信号流れ図である。
【図５】図５は、ＴＷＡＮ、ＥＰＣ、および他の通信のためのアーキテクチャを図示する、システムブロック図である。
【図６】図６は、ユーザ機器または他のネットワークデバイスとして使用するために好適な無線ネットワークデバイスのブロック図である。
【図７】図７は、種々のネットワーク機能を実装するための例示的コンピューティングシステムのブロック図である。
【発明を実施するための形態】
【０００６】
統合スモールセルおよびＷｉＦｉ（ＩＳＷ）ネットワークは、許可スペクトル内のスモールセルとともに、無許可スペクトル内のＷｉＦｉアクセスポイントを伴って展開されるものである。モバイルネットワークオペレータ（ＭＮＯ）は、費用効果的統合および相互作用を通してそのセルラーおよびコアネットワークを補完するように、「キャリアグレード」ＷｉＦｉの組み込みを開始している。これは、種々のネットワークアーキテクチャ、加入者サービス選択肢、およびポリシー管理機構の発展を促し得る。
【０００７】
ＩＳＷネットワーク要件は、ＷｉＦｉによるインターネットトラフィックオフロード、セルラーとＷｉＦｉとの間のサービス継続性、簡略化されたネットワーク展開および管理（例えば、セルラーおよびＷｉＦｉプロビジョニング機構ならびに自己編成ネットワーク（ＳＯＮ）拡張の統合により）、およびポリシーベースのマルチアクセストラフィック管理の拡張（例えば、セルラーおよびＷｉＦｉアクセス技術にわたる動的トラフィック操向およびＱｏＳのローカル強化により）のためのより低コストの代替に対処することが期待される。
【０００８】
オペレータが、「キャリアＷｉＦｉ」を採用し、そのネットワークを最適化し、費用を削減するにつれて、オペレータのモバイルコアネットワーク（ＭＣＮ）と直接インターフェースをとることができる、「信頼」ＷＬＡＮアクセスネットワーク（ＴＷＡＮ）のさらなる展開がもたらされるであろうことが期待される。同様に、ＭＮＯ展開スモールセルと、高トラフィック大都市ホットスポット場所等の共通地理的エリア内のＷｉＦｉアクセスネットワークとのさらなる統合がもたらされるであろうと期待される。そのような統合は、セルラーおよびＷｉＦｉアクセスの両方をサポートする、ますます増加するスマートフォンの数によって促される。
【０００９】
本文脈では、用語「ＴＷＡＮ」は、適切な手段が、無線ローカルエリアネットワーク（ＷＬＡＮ）によるアクセスからＥＰＣを保護するために講じられる状況を指す。そのような手段は、ＭＮＯの裁量に委ねられ、例えば、ＷＬＡＮとＥＰＣとの間の耐タンパファイバ接続の確立、またはＥＰＣエッジにおけるＷＬＡＮとセキュリティゲートウェイとの間のＩＰＳｅｃセキュリティアソシエーションの確立を含み得る。対照的に、ＷＬＡＮアクセスが、「非信頼」と見なされる場合、ＷＬＡＮは、ＥＰＣエッジにおいて、進化型パケットコアネットワークゲートウェイ（ＰＧＷ）とインターフェースをとり得、ＰＧＷは、ＷＬＡＮを通してＥＰＣにアクセスする各ＵＥとＩＰＳｅｃセキュリティアソシエーションを直接確立しなければならない。
【００１０】
本明細書に開示されるのは、種々のネットワークデバイスへのサービスの質ポリシーの提供と、ユーザ機器へおよびそこからのデータフローの特性の監視と、ポリシーに従ったＤＳＣＰマーキングとユーザ優先度マッピング等との調整とによるＷＬＡＮ  ＱｏＳのＭＮＯ制御のための解決策である。ＭＮＯが、キャリアＷｉＦｉを展開する場合、ＭＮＯが、ＷｉＦｉを介する異なるレベルのＱｏＳによる付加価値サービスを、ハンドセット等の加入者ユーザ機器（ＵＥ）にもたらし得るように、アクセスポイント（Ａｐ）が、少なくともいくつかの８０２．１１．ｅまたはＷｉＦｉアライアンス（ＷＦＡ）無線マルチメディア（ＷＭＭ）ＱｏＳ特徴をサポートすることが所望され得る。ＴＷＡＮおよび進化型パケットコアネットワーク（ＥＰＣ）デバイスは、サービスの質ポリシーを自動的に提供し、設定されたデフォルトに従って、ＤＳＣＰマーキングを確立するように構成されることができる。これらのデバイスは、後に、これらのポリシーに従って、ＵＥへおよびそこから実際にフローするデータの特性に応答して、ＤＳＣＰマーキングを調整することができる。
【００１１】
さらなる文脈を与えるために、以下に論じられるのは、３ＧＰＰに関連付けられたＷＬＡＮ  ＱｏＳおよびＷＬＡＮのための関連ＷｉＦｉ規格である。３ＧＰＰは、セルラーアクセスおよびコアネットワークにわたる種々のレベルのＱｏＳのための制御機構を規定している。本明細書に詳述されるように、これらの能力は、セルラーアクセスネットワークに同様に適用され得るＭＮＯ要件に基づいて、ＷＬＡＮ  ＱｏＳの区別を含むように拡張される。
【００１２】
ＷｉＦｉは、無許可スペクトルによる、モバイルセッション継続性を含むＭＮＯ付加価値パケットデータサービスの安価な送達のために使用され得る。オフロードが行われる方法および場所に応じて、オフロードＷｉＦｉトラフィックのためのより優れたＱｏＳを送達するために、調整が行われ得る。例えば、ＷＬＡＮは、ＩＥＥＥ８０２．１１．ｅに基づくＷＭＭ規格を使用して、ＱｏＳ区別をサポートし得る。ＩＥＥＥ８０２．１１．ｅは、改訂版８：媒体アクセス制御（ＭＡＣ）サービスの質向上を指す。ＷＭＭ  ＡＰＩを使用したアプリケーションは、音声、ビデオ、ベストエフォート、またはバックグラウンドに関するアクセスカテゴリ（ＡＣ）にマップされたユーザ優先度（ＵＰ）に従って、８０２．１１．ｅ  ＭＡＣフレームを優先順序付けすることができる。４つのＡＣキューは、より高い優先度フレームが、統計的に、より低い優先度フレームより短い待ち時間で伝送されることを可能にする。
【００１３】
図１は、ＥＰＣと接続されたＴＷＡＮのための簡略化されたアーキテクチャを図示する。ＴＷＡＮに関するさらなる詳細は、図５から図７に関して論じられる。ＴＳ２３．４０２のセクション１６．１．１によると、ＷＬＡＮが、オペレータによって信頼と見なされると、ＴＷＡＮ１０１は、複数の方法において、ＥＰＣ１１９とインターフェースをとる。ＴＷＡＮ１０１は、ＳＴａインターフェース１０４によって、３ＧＰＰ  ＡＡＡサーバ１０７との認証プロシージャのために、ＥＰＣ１１９とインターフェースをとり得る。ＳＴａインターフェース１０４は、アクセス認証、承認、モビリティパラメータ、および課金関連情報をセキュアにトランスポートする。加えて、ＴＷＡＮ１０１は、ＰＧＷ１０８とのベアラ管理プロシージャのために、Ｓ２ａインターフェース１０６によって、ＥＰＣ１１９とインターフェースをとり得る。ＡＮＤＳＦサーバ１１４は、ＥＰＣ１１９内に位置し、通信可能に接続されるＰＧＷ１０８を経由してＵＥ１０２と通信し得る。ＡＮＤＳＦサーバ１１４は、プッシュを開始し、その情報をＵＥ１０２に配信し得るか、またはＵＥ１０２が、ＡＮＤＳＦサーバ１１４にクエリを行い、所望の情報をプルし得る。
【００１４】
ＴＳ２３．４０２は、ＴＷＡＮ１０１内の詳細な機能分割を３ＧＰＰの範囲外として見なす。ＳＷｗインターフェース１０５、Ｓ２ａインターフェース１０６、およびＳＴａインターフェース１０４によってエクスポージャされる外部挙動は、３ＧＰＰの範囲内と見なされる。なお、ＷＬＡＮ  ＡＮ１１３、信頼ＷＬＡＮアクセスゲートウェイ（ＴＷＡＧ）１１７、および信頼ＷＬＡＮ  ＡＡＡプロキシ（ＴＷＡＰ）１１５等の機能は、ＴＷＡＮ１０１の範囲内と仮定される。ＷＬＡＮ  ＡＮ１１３は、１つ以上のＷＬＡＮアクセスポイント（ＡＰ）から成る。ＡＰは、ＳＷｗインターフェース１０５によるＵＥのＷＬＡＮ  ＩＥＥＥ８０２．１１リンクの終わりをなす。これらは、スタンドアローンＡＰ、または、例えば、ＩＥＴＦ  ＣＡＰＷＡＰ／ＤＴＬＳプロトコルを使用して、無線ＬＡＮコントローラ（ＷＬＣ）に接続されるＡＰであり得る。
【００１５】
ＴＷＡＧ１１７は、そのアクセスリンク上のＵＥ１０２のためのデフォルトＩＰルータとして作用し、ＰＧＷ１０８とのＧＴＰベースのＳ２ａインターフェース１０６の終わりをなす。それは、ＵＥ１０２のためのＤＨＣＰサーバとしても作用する。ＴＷＡＧ１１７は、ＷＬＡＮ１１３内のＡＰ（図示せず）通した２地点間リンクによるＵＥ１０２とＴＷＡＧ１１７との間でパケットを転送するためのＵＥＭＡＣアドレスアソシエーション、およびＰＧＷ１０８に向かうＵＥ１０２のためのＳ２ａ  ＧＴＰ−ｕトンネルを維持する。設定方法およびその時を含む、２地点間リンクの実装は、３ＧＰＰの範囲外である（例えば、ＷｉＦｉプロシージャは、ＷｉＦｉアライアンスおよびＩＥＥＥ８０２．１１によって定義される一方、ＷｉＦｉネットワーク発見および選択決定は、ＵＥ実装に基づく）。
【００１６】
ＴＷＡＰ１１５は、３ＧＰＰ  ＡＡＡサーバ１０７とのダイアメータベースのＳＴａインターフェース１０４の終わりをなす。ＴＷＡＰ１１５は、ＷＬＡＮ  ＡＮ１１３と３ＧＰＰ  ＡＡＡサーバ１０７（または、ローミングの場合、プロキシ）との間でＡＡＡ情報を中継する。ＴＷＡＰ１１５は、ＵＥ１０２ＭＡＣアドレスとのＵＥ１０２加入データ（国際モバイル加入者識別（ＩＭＳＩ）を含む）の結合を確立し、ＴＷＡＧ１１７に、層２アタッチおよびデタッチイベントを知らせることができる。コアネットワークとの「認証」プロシージャと見なされ得る、３ＧＰＰ「アタッチ」との類似が示され得る。ＴＷＡＰ１１５はまた、ＴＷＡＧ１１７に、ＩＭＳＩまたはＭＡＣ結合等のＵＥ１０２のための加入情報を提供し得る。
【００１７】
「ＧＴＰを介するＳ２ａモビリティ」（ＳａＭＯＧ）に関する３ＧＰＰリリース１１ＳＡ２作業項目は、ＰＧＷ１０８とＴＷＡＮ１０１との間のＧＰＲＳトンネリングプロトコル（ＧＴＰ）ベースのＳ２ａインターフェースを有効にすることに焦点を当てている。信頼ＷＬＡＮアクセスを介するＧＴＰベースのＳ２ａのための３ＧＰＰリリース１１アーキテクチャ、機能説明、およびプロシージャは、ＴＳ２３．４０２のセクション１６に規格化されている。トンネル管理（ＧＴＰｖ２−Ｃ）のための適用可能であるＧＴＰ制御プレーンプロトコルは、ＴＳ２９．２７４に規定されており、ＧＴＰユーザプレーンは、ＴＳ２９．２８１に規定されている。ＳａＭＯＧの焦点は、「ＥＰＣへの信頼アクセス」であり、故に、プロシージャは、ＥＰＣ１０１への「初期アタッチ」から開始する。ＬＴＥと全く同様に、初期アタッチプロシージャの正常完了は、Ｓ２ａインターフェース１０６上のＧＴＰトンネルによるコアネットワークとの「常時オン」接続を有効にする「デフォルト」ＥＰＣ１０１ベアラの確立をもたらす。ＳａＭＯＧに対して、インターネット１１１への直接オフロードは関連しない。インターネット１１１への直接オフロードの状況では、ＥＰＣ１１９へのユーザプレーン接続がバイパスされ、ＧＴＰトンネルが確立されないからである。ホーム加入者サーバ（ＨＳＳ）１０９または３ＧＰＰ  ＡＡＡサーバ１０７は、ＳＴａインターフェース１０４によって、Ｓ２ａインターフェース１０６または非シームレスＷＬＡＮオフロード（ＮＳＷＯ）の使用または両方によるＥＰＣ１１９へのアクセスが、加入者のために可能にされるかどうかを示し得る。
【００１８】
ＵＥ１０２は、３ＧＰＰの範囲外である、「ＴＷＡＮ特有Ｌ２プロシージャ」を使用して、ＴＷＡＮ１０１と「初期アタッチ」を開始する。ＷＬＡＮに対して、これは、ＩＥＥＥ８０２．１１プロシージャに続いて、ＴＷＡＰ１１５を通して３ＧＰＰ  ＡＡＡサーバ１０７とのＥＡＰプロシージャを開始する、ＩＥＴＦ  ＥＡＰｏＬ−開始メッセージによるであろう。比較として、３ＧＰＰアクセスのための「初期アタッチ」の開始は、進化型ノードＢ（ｅＮＢ）とのＲＲＣ接続の確立に続き、モビリティ管理エンティティ（ＭＭＥ）との３ＧＰＰ特有非アクセス階層（ＮＡＳ）信号伝達によって行われる。
【００１９】
規格ＥＡＰベースの認証後、ＴＷＡＰ１１５は、ＴＷＡＧ１１７に、３ＧＰＰ  ＡＡＡサーバ１０７によってＨＳＳ加入データから読み出される、デフォルトアクセスポイント名（ＡＰＮ）を提供する。ＴＷＡＧ１１７は、次いで、ＡＰＮに関連付けられたＰＧＷ１０８を選択し、ＧＴＰ−Ｃ「セッション作成要求」をＰＧＷ１０８に送信する。本要求は、ＲＡＴタイプを「非３ＧＰＰ」として識別し、ＴＷＡＮ１０１のためのデフォルトＥＰＳベアラＱｏＳ（ＨＳＳ１０９からパスされる）およびＧＴＰトンネルエンドポイント識別子（ＴＥＩＤ）を含む。本ＱｏＳは、ＷｉＦｉリンクを含む実際のエンドツーエンドＥＰＳベアラではなく、ＴＷＡＧ１１７とＰＧＷ１０８（Ｓ２ａインターフェース１０６）との間のＧＴＰトンネルに適用可能であり、ＷＬＡＮ無線インターフェースは、３ＧＰＰの範囲外であると見なされることに留意されたい。デフォルトベアラＱｏＳは、非保証ビットレート（非ＧＢＲ）に関するＱｏＳクラス識別子（ＱＣＩ）を含む。ＱＣＩ値は、Ｓａａｄ  Ｚ．Ａｓｉｆによる「次世代モバイル通信エコシステム：モバイル通信のための技術管理」の５７ページの表３．９からの情報を反映する、表１に示されるように、リソースタイプ（ＧＢＲまたは非ＧＢＲ）、優先度レベル、パケット遅延バジェット、およびパケットエラー損失レートを表す。
【００２０】
【表１−１】
0006258472.tif 000002
【００２１】
【表１−２】
0006258472.tif 000003
【００２２】
ＰＧＷ１０８は、ＰＧＷ１０８のためのデフォルトＥＰＳベアラＱｏＳ、配分されたＵＥ１０２ＩＰアドレス、およびＴＥＩＤを含む、「セッション作成応答」をＴＷＡＧ１１７に返す。ＧＴＰ−Ｕトンネルは、現時点において、ＴＷＡＧ１１７とＰＧＷ１０８との間に存在する。本ＥＰＳベアラのためのパケットが、続いて、宛先ＴＥＩＤを含むＧＴＰｖ１−Ｕヘッダ、ＧＴＰｖ１−Ｕポート番号２１５２を識別するＵＤＰヘッダ、およびＱＣＩに対応するＤＳＣＰ値でマークされた「外側ＩＰ」ヘッダとともにカプセル化される。ＤＳＣＰマッピングは、オペレータポリシーに基づいて、確立される。
【００２３】
ＰＧＷ１０８はまた、ＧＴＰベースのＳ２ａインターフェース上で専用ベアラの作成を開始し得る。ＴＷＡＮ１０１特有のリソース配分／修正プロシージャが、専用ベアラＱｏＳをサポートするために、本ステップにおいて実行され得る。本ステップの詳細は、３ＧＰＰの範囲外である。
【００２４】
ＰＧＷ１０８はまた、ＧＴＰベースのＳ２ａベアラのためのベアラ修正プロシージャを開始し得る。本プロシージャは、アクティブデフォルトまたは専用Ｓ２ａベアラのためのＴＦＴを更新するために、または、例えば、ＨＳＳ開始加入ＱｏＳ修正プロシージャに起因して、Ｓ２ａベアラＱｏＳパラメータＱＣＩ、ＧＢＲ、ＭＢＲ、またはＡＲＰのうちの１つまたはいくつかが、修正されるとき（デフォルトＳ２ａベアラのＱＣＩまたはＡＲＰを含む）、使用される。
【００２５】
ＩＰｖ４アドレスおよび／またはＩＰｖ６プレフィックスは、新しいＰＤＮ接続が確立されると、ＵＥ１０２に配分される。例えば、ＴＷＡＧ１１７が、ＧＴＰセッション作成要求においてＩＰｖ４アドレスを要求し得、ＩＰｖ４アドレスが、ＰＧＷ１０８からのＧＴＰセッション作成応答により、ＧＴＰトンネル確立中にＴＷＡＧ１１７に送達される。ＵＥ１０２が、ＤＨＣＰｖ４によるＩＰｖ４アドレスを要求すると、ＴＷＡＧ１１７は、受信されたＩＰｖ４アドレス、サブネットマスク、デフォルトルート、ＤＮＳサーバ名等を、ＤＨＣＰｖ４信号伝達において、ＵＥ１０２に送達する。ＵＥ１０２は、そのパケットルート決定のために、サブネットマスクおよびデフォルトゲートウェイアドレスを使用することができる。対応するプロシージャはまた、ＩＰｖ６のために定義される。ＮＳＷＯの場合、ＴＷＡＮ１０１は、ネットワークアドレス変換（ＮＡＴ）機能をサポートすることができ、ＵＥに、ローカルＩＰアドレスを提供することができると仮定される。
【００２６】
ＥＰＣ１１９への信頼ＷＬＡＮアクセスのために、ＰＤＮ接続サービスは、ＴＷＡＮ１０１とＰＧＷ１０８との間のＳ２ａベアラと連結される、ＵＥ１０２とＴＷＡＮ１０１との間の２地点間接続によって提供される。
【００２７】
Ｓ２ａベアラは、最低でも、デフォルトベアラを含む。デフォルトベアラが、修正されると、および／または専用ベアラが、確立されると、パケットフィルタを含むＴＦＴも、提供される。ＴＷＡＮ１０１は、ＰＤＮ接続のＳ２ａベアラのためにＰＧＷ１０８から受信されたＴＦＴ内のアップリンクパケットフィルタに基づいて、アップリンクパケットをハンドリングする。ダウンリンクパケットは、ＰＤＮ接続のＳ２ａベアラのためにＰＧＷ１０８内に記憶されるＴＦＴ内のダウンリンクパケットフィルタに基づいて、ＰＧＷ１０８によってハンドリングされる。
【００２８】
ＩＥＥＥ８０２．１１．ｅは、ＷＬＡＮにおけるＱｏＳ拡張を提供するための２つの機構、すなわち、ＥＤＣＡおよびＨＣＣＡを規格化している。以降、ＷｉＦｉアライアンスは、８０２．１１．ｅ  ＥＤＣＡ規格のうちのいくつかの特徴をその無線マルチメディア（ＷＭＭ）証明プログラムの中に採用している。これらの規格の使用は、限定されており、主に、ベンダ特有の企業展開（例えば、ＷＬＡＮを介する音声のため）に焦点が当てられている。それは、典型的には、３ＧＰＰ  ＭＮＯ  ＱｏＳポリシーと相互作用するために使用されていない。
【００２９】
ＩＥＥＥ８０２．１１．ｅは、ＷＬＡＮにおけるＱｏＳ優先順位付けのためのＭＡＣ能力を含み、伝送機会（ＴＸＯＰ）は、トラフィック優先度に基づいて決定される。機構が、ＡＰにおけるハイブリッド調整機能（ＨＣＦ）を使用して、規格化されている。ＨＣＦは、１）競合ベースのチャネルアクセス（拡張分散式チャネルアクセス−ＥＤＣＡ）、および、２）制御式チャネルアクセス（ＨＣＦ制御式チャネルアクセス−ＨＣＣＡ）の両方をサポートするので、「ハイブリッド」機能として説明され得る。ＥＤＣＡは、優先順位づけされたＣＳＭＡ／ＣＡ競合ベースのアクセス機構である。ＥＤＣＡは、ユーザ優先度（ＵＰ）を４つのアクセスカテゴリ」（ＡＣ）にマップし、より高い優先度フレームが、統計的に、より低い優先度フレームより短い待ち時間で伝導されることを可能にする。各ＡＣに対するバックオフ値が、アップリンク伝送において、基地局による使用のために、ビーコンフレームにおいて、ＱｏＳ対応ＡＰによってブロードキャストされる。ＨＣＦ制御されるチャネルアクセス（ＨＣＣＡ）は、ＡＰポーリング機構に基づく、無競合アクセス機構である。これは、理論上、媒体に関する競合を低減させ得るが、実際は、依然として、重複するサービスエリアから制御不能干渉が存在し得る。
【００３０】
ＥＤＣＡ機構は、８つの異なるＵＰを４つのＡＣにマップすることによって、区別され、分散されたアクセスを提供する。ＡＣは、ＩＥＥＥ規格８０２．１１ＴＭ−２０１２の表９−１からの情報を反映する、以下の表２に示されるように、ＵＰから導出される。
【００３１】
【表２】
0006258472.tif 000004
【００３２】
ＵＰ値は、０〜７の範囲内であり、８０２．１Ｄユーザ優先度に関して定義された値と同一である（それによって、マッピングを簡略化する）。これらのユーザ優先度は、８０２．１Ｄ（８０２．１ｐにおいて行われた作業に基づく）を含む、以前のサービスのクラス（ＣｏＳ）規格と整合する層２データリンクフレーム優先順位付けのために確立されたものである。８０２．１Ｄ指定は、ＢＫ＝バックグラウンド、ＢＥ＝ベストエフォート、ＥＥ＝エクセレントエフォート、ＣＬ＝制御負荷、ＶＩ＝ビデオ（＜１００ｍｓ遅延）、ＶＯ＝音声（＜１０ｍｓ遅延）、およびＮＣ＝ネットワーク制御のようにリスト化される。ユーザ優先度０は、ＩＥＥＥが、ＱｏＳ機能性をオプションと見なすため、バックグラウンドＡＣの代わりに、ベストエフォートＡＣに置かれ、非ＱｏＳ基地局との後方互換性を保持する。
【００３３】
ＷｉＦｉアライアンス（ＷＦＡ）は、ＷＭＭ許可制御（ＷＭＭ−ＡＣ）と呼ばれる、そのＷｉＦｉマルチメディア（ＷＭＭ）証明プログラムを定義し、十分なリソースが利用可能である場合のみ、ＱｏＳ（例えば、ＶｏＩＰのため）を要求するデバイスが、ネットワークの中に許可されることを確実にしている。例えば、ＷＭＭクライアントは、音声等の特定のＡＣタイプのトラフィックフローを送信する前に、「トラフィック仕様」（ＴＳＰＥＣ）をＡＰへの信号伝達要求内に含むことができる。
【００３４】
ＩＥＥＥ８０２．１１ｕは、３ＧＰＰ  ＭＮＯによって管理されるもの等の「外部ネットワークとの相互作用」のための規格を定義している。８０２．１１ｕ改訂版は、ＷＬＡＮネットワーク発見および選択と、外部ネットワークからのＱｏＳマッピングと、緊急サービス（例えば、第一応答者のため）のための優先順位づけされたＷＬＡＮアクセスとのための方法について説明している。ＷｉＦｉアライアンスは、８０２．１１ｕネットワーク発見および選択のいくつかの特徴を、そのホットスポット２．０「パスポイント」証明プログラムの中に採用しており、８０２．１１ｕＱｏＳ拡張は、将来的パスポイントリリースにおいて対処され得る。
【００３５】
ＱｏＳマッピングに関して、８０２．１１ｕは、加入サービスプロバイダネットワーク（ＳＳＰＮ）、およびその独自の層３エンドツーエンドパケットマーキング実践（例えば、ＤＳＣＰ使用慣例）を有し得る他の外部ネットワークのためのＱｏＳマッピングを提供する。したがって、層３サービスレベルを共通無線サービスレベルに再マップする方法が、必要である。ＱｏＳマップは、基地局およびアクセスポイントに、８０２．１１．ｅＵＰへのネットワーク層ＱｏＳパケットマーキング（例えば、ＤＳＣＰ）のマッピングを提供する。
【００３６】
ダウンリンクに対して、ＡＰにおいて、ＤＳＣＰ値が、ＥＤＣＡ  ＵＰにマップされる。非ＡＰ基地局８０２．１１（ＳＴＡ）はまた、ＴＳＰＥＣおよびＴＣＬＡＳ要素をトラフィックストリーム追加（ＡＤＤＴＳ）要求フレーム内で使用し、ＷＬＡＮ内のトラフィックストリームを設定し得る。本方法では、ＵＰは、トラフィック分類（ＴＣＬＡＳ）要素内に規定される。ＡＰによって、フレームをユーザ優先度にマップするための特定の方法を選定するために使用されるポリシーは、８０２．１１の範囲外である。
【００３７】
アップリンクに対して、非ＡＰ  ＳＴＡにおいて、外部ＱｏＳパラメータが、ＩＥＥＥ８０２．１１ＱｏＳパラメータに、例えば、ＤＳＣＰが、ＩＥＥＥ８０２．１１ＵＰ、順に、ＥＤＣＡ  ＡＣにマップされる。本マッピングは、非ＡＰ  ＳＴＡが、ＡＰへの正しいＱｏＳ要求、例えば、ＡＤＤＴＳ要求を構築し、フレームを正しい優先度で伝送するのに役立つ。規格は、全くではないにしても、ＵＥがアップリンクパケットのためのＤＳＣＰ値を設定する方法を規定しない。ＵＥ１０２は、例えば、対応するフローのための対応するダウンリンクパケット内で受信される値を使用し得る。
【００３８】
ＩＥＥＥ  Ｓｔｄ８０２．１１ＴＭ−２０１２表Ｖ−１からの情報を反映する、表３は、ホップ挙動（ＰＨＢ）毎の区別化サービス（ＤｉｆｆＳｅｒｖ）と、３ＧＰＰ  ＵＭＴＳ／ＧＰＲＳトラフィッククラスならびに８０２．１１．ｅ  ＡＣ、およびＵＰのためのＤＳＣＰマッピングの実施例を示す。３ＧＰＰ  ＵＭＴＳ／ＧＰＲＳトラフィッククラスへのＤＳＣＰのマッピングは、モバイルアソシエーション（ＧＳＭＡ）ＩＲ．３４ｖ４．６のためのグローバルシステムにおいて利用可能である一方、ＩＲ．３４ｖ９．０は、進化型パケットシステム（ＥＰＳ）ＱｏＳクラス識別子（ＱＣＩ）マッピングを追加する。
【００３９】
【表３】
0006258472.tif 000005
【００４０】
表４は、ＥＰＣベースのネットワークのために構築され得、ＧＳＭＡ  ＩＲ．３４  ｖ９．０から情報を反映する。
【００４１】
【表４】
0006258472.tif 000006
【００４２】
ＩＥＴＦ  ｄｒａｆｔ−ｋａｉｐｐａｌｌｉｍａｌｉｌ−ｎｅｔｅｘｔ−ｐｍｉｐ−ｑｏｓ−ｗｉｆｉ−０１「ＷｉＦｉネットワークにおけるＰＭＩＰサービスの質のマッピング」は、以下の表５に示されるように、３ＧＰＰ  ＱＣＩ、ＤＳＣＰ、および８０２．１１．ｅアクセスカテゴリ（ＡＣ）間の推奨されるマッピングを概略する。
【００４３】
【表５】
0006258472.tif 000007
【００４４】
ＷＦＡは、ホットスポット２．０イニシアティブおよびその対応するパスポイント証明プログラムの一部として、ネットワーク発見および選択のための８０２．１１ｕの一部を採用しているが、ＱｏＳマッピング規格は、現在まで含まれていない。ホットスポット２．０は、デバイスが、自動的に、Ｗｉ−Ｆｉ加入者サービスに参加することを可能にする、ＷＦＡによる公共アクセスＷｉ−Ｆｉへのアプローチを指す。
【００４５】
前述から解明されるように、従来のＱｏＳ技法の現在のギャップを前提として、特に、統合スモールセルおよびＷｉＦｉネットワークの展開増加に伴って、ＷＬＡＮ  ＱｏＳ制御のさらなる採用を可能にする調整が必要とされ得る。以下に定義されるのは、アップリンク伝送のために、またはＡＰによってハンドリングされるダウンリンクＱｏＳを要求するために、ＵＥによって適用されるべき「ＷＬＡＮ  ＱｏＳ」パラメータ（例えば、ＷｉＦｉのためのＱｏＳパラメータ）を伝達するためのＡＮＤＳＦ拡張である。以下により詳細に論じられるように、拡張は、とりわけ、ＷＬＡＮ優先順位づけアクセスのためのＡＮＤＳＦ管理オブジェクト（ＭＯ）へのＷＬＡＮ  ＱｏＳパラメータの追加を含み得る。
【００４６】
ＷＬＡＮネットワーク選択のための３ＧＰＰオペレータのポリシーが、事前構成によって、またはアクセスネットワーク発見および選択機能（ＡＮＤＳＦ）を使用して、３ＧＰＰ端末上にプロビジョニングされるであろう。ＡＮＤＳＦは、元々、マルチモードＵＥに、ＷＬＡＮ等の非３ＧＰＰアクセスネットワークの発見および選択のためのＭＮＯポリシーを提供するように定義されたものである。３ＧＰＰ  ＴＳ２３．４０２は、ＡＮＤＳＦ機能性を定義する一方、ＴＳ２４．３１２は、ＡＮＤＳＦ  ＭＯをＯＭＡ−ＤＭ規格と互換性のあるＸＭＬフォーマットにおいて定義する。
【００４７】
図２、３、および４は、信号流れ図である。本明細書に論じられるように、図２、３、および４に図示されるステップを行うエンティティは、図６および７に図示されるもの等、デバイス、サーバ、またはコンピュータシステムのプロセッサのメモリ内に記憶され、その上で実行するソフトウェア（例えば、コンピュータ実行可能命令）の形態で実装され得る論理エンティティであることを理解されたい。すなわち、図２、３、および４に図示される方法は、そのコンピュータ実行可能命令が、コンピューティングデバイスのプロセッサによって実行されると、図２、３、および４に図示されるステップを行う、図６または図７に図示されるデバイスまたはコンピュータシステム等のコンピューティングデバイスのメモリ内に記憶されるソフトウェア（例えば、コンピュータ実行可能命令）の形態で実装され得る。
【００４８】
図２は、ＴＷＡＮ１０１によって進化型パケットコアネットワーク（ＥＰＣ）１１９と通信する、ユーザ機器（ＵＥ）１０２のためのデフォルトサービスの質ポリシーを確立する方法を図示する、信号流れ図である。ＵＥ１０２は、例えば、携帯電話ハンドセット等のネットワーク加入者のモバイルデバイスであり得る。ＵＥは、等しく、限定ではないが、タブレットコンピュータ、スマートフォン、医療デバイス、温度および天候モニタ、コネクテッドカー、スマートメータ、ゲームコンソール、携帯情報端末、健康およびフィットネスモニタ、照明、サーモスタット、器具、車庫のドアおよび他のアクチュエータベースのデバイス、セキュリティデバイス、ならびにスマート出口等のマシンツーマシン（Ｍ２Ｍ）ネットワークデバイスを含む、任意の種類のネットワーク端末デバイスであり得る。
【００４９】
ＴＷＡＮ１０１機能は、無線ローカルエリアネットワークアクセスネットワーク（ＷＬＡＮ  ＡＮ）１１３と、信頼ＷＬＡＮアクセスゲートウェイ（ＴＷＡＧ）１１７と、トラフィック検出機能（ＴＤＦ）２０７と、ＷｉＦｉサービスの質（ＱｏＳ）ポリシーマネージャ２０５と、信頼ＷＬＡＮ認証、承認、および会計プロキシ（ＴＷＡＰ）１１５とを含む。これらの機能は、任意の組み合わせにおいて、種々のコンピュータハードウェアプラットフォーム上に常駐する論理デバイスとして実装されることができる。例えば、各機能は、別個のネットワークコンピューティングデバイス上に実装されるか、全て単一サーバ上に実装されるか、またはいくつかの機能は、一緒にパッケージ化され、その他は、独立する等で実装され得る。
【００５０】
図２では、ＥＰＣ１１９は、運用、管理、および保守デバイス（ＯＡＭ）２０１と、進化型パケットコアネットワークゲートウェイ（ＰＧＷ）１０８と、３ＧＰＰ認証、承認、および会計（ＡＡＡ）サーバ１０７と、ホーム加入システム（ＨＳＳ）１０９とを含む。
【００５１】
信号フローは、ＯＡＭ２０１が、サービスの質ポリシー情報を通信するメッセージ１Ａおよび１Ｂを、それぞれ、ＷｉＦｉ  ＱｏＳポリシーマネージャ２０５およびＰＧＷ１０８に送信すると開始する。メッセージ１Ａおよび１Ｂは、同じ情報を含み得、実際、同一ブロードキャストであり得る。代替として、それらは、各受信側に対して調整され得る。ＷｉＦｉ  ＱｏＳポリシーマネージャ２０５およびＰＧＷ１０８は、この情報を記憶する。
【００５２】
サービスの質ポリシー情報は、通常、デフォルトＤＳＣＰマーキングおよび８０２．１１．ｅユーザ優先度設定の両方を含み、種々のタイプのトラフィックフローのために使用されるべき、８０２．１１．ｅユーザ優先度設定へのＤＳＣＰマーキングのマッピングも含むであろう。デフォルト設定は、ＵＥに特有ではないであろう。他のポリシーが、個々のＵＥまたはＵＥのクラスに特有であり得る。例えば、ポリシーは、「ゴールド」、「シルバー」、および「ブロンズ」サービスレベル顧客のために、異なるタイプのデータフローのために、またはデータの異なる最終用途のために異なるＱｏＳを規定し得る。
【００５３】
ＷｉＦｉ  ＱｏＳポリシーマネージャ２０５は、次いで、メッセージ２Ａ、２Ｂ、および２Ｃにおいて、それぞれ、サービスの質ポリシー情報をＴＤＦ２０７、ＴＷＡＧ１１７、およびＷＬＡＮ  ＡＮ１１３に伝搬する。再び、これらのメッセージは、同一であるか、コンテンツが同じであるか、または各受信側に対して調整され得る。受信側は、情報を記憶する。
【００５４】
図２の信号フローは、図３において継続し、図３は、ＴＷＡＮ１０１へのＵＥ１０２のアタッチと、その後のベアラの認証確立とを図示する。ＵＥ１０２は、ＴＷＡＮ１０１を介して、ＥＰＣ１１９にアタッチする。図３の実施例では、ＵＥ１０２は、ＩＥＥＥ８０２．１１プロシージャを使用してＴＷＡＮ１０１との初期アタッチを開始し、ＩＥＴＦＥＡＰｏＬ−開始メッセージが続き、ＩＥＴＦＥＡＰｏＬ−開始メッセージは、ＷＬＡＮ  ＡＮ１１３へのメッセージ３Ｂによって、ＴＷＡＰ１１５を通して３ＧＰＰ  ＡＡＡサーバ１０７とＥＡＰプロシージャを開始する。ＵＥ１０２の接続は、次いで、認証される。続いて、デフォルトベアラが、ＴＷＡＮ１０１を介してＥＰＣ１１９と確立される。随意に、１つ以上の専用ベアラが、確立され得る。要求される場合、加入者特有のＷｉＦｉ  ＱｏＳポリシーが、ＷｉＦｉ  ＱｏＳポリシーマネージャ２０５によって、メッセージ５Ａ、５Ｂ、および５Ｃによって、ＴＷＡＧ１１７、ＷＬＡＮ  ＡＮ１１３、および／またはＰＧＷ１０８にそれぞれ送信される。再び、これらのメッセージは、同一であるか、コンテンツが同じであるか、または各受信側に対して調整され得る。受信側は、情報を記憶する。
【００５５】
図２および図３の信号フローは、図４において継続する。ベアラの確立後、提供される場合、ＷｉＦｉ  ＱｏＳポリシーマネージャ２０５によって提供される加入者特有のＱｏＳポリシー情報（それぞれ、図３のメッセージ５Ａおよび５Ｃにおいて）に従って、ＴＷＡＧ１１７は、アップリンクＤＳＣＰ値を設定し、ＰＧＷ１０８は、ダウンリンクＤＳＣＰ値を設定する。加入者特有のＱｏＳポリシー情報が提供されない場合、ＤＳＣＰ値は、提供される場合、ＯＡＭ２０１（図２のメッセージ１Ａ、１Ｂ、２Ｂにおいて）によって以前に提供された一般的ＱｏＳ品質情報に従って、設定される。
【００５６】
次に、ＴＤＦ２０７は、ＵＥ１０２へ、およびＵＥ１０２からのパケットトラフィック検出、およびオフロードおよび／またはＥＰＣルーティングトラフィックの識別を行う。トラフィックの検出および識別は、ディープパケット検査（ＤＰＩ）、シャローパケット検査（ＳＰＩ）、または他のトラフィック識別技法を介して、達成され得る。
【００５７】
ＴＷＡＮ  ＴＤＦベースのＱｏＳ−オフロードまたはＥＰＣルーティングトラフィックのいずれかに対して、ＴＷＡＮポリシーマネージャは、シャロー／ディープパケット検査（ＳＰＩ／ＤＰＩ）によって識別されるトラフィックタイプのためのＭＮＯ規定ポリシーに基づいて、ＤＳＣＰおよびダウンリンク８０２．１１．ｅＵＰを割り当て得る。デフォルトポリシーおよび加入者特有のポリシーが、サポートされ得る。前述の第１の項目におけるＥＰＣ  ＱｏＳのケースは、多くの異なるフローを搬送し得るベアラ全体に適用され、したがって、ＴＤＦアプローチを使用して、ＷｉＦｉ無線通信インターフェースを介する異なるＱｏＳハンドリングのために、ベアラ内の特定のフローをさらに識別することができることに留意されたい。
【００５８】
ＴＤＦ２０７が、新しいトラフィックフローまたは新しいタイプのトラフィックフローを検出した場合、通知６Ａ、６Ｂ、および６Ｃを介して、ＷｉＦｉ  ＱｏＳポリシーマネージャ２０５、ＴＷＡＧ１１７、およびＷＬＡＮ  ＡＮ１１３にそれぞれ通知する。再び、これらの通知は、同一であるか、コンテンツが同じであるか、または受信側に対して調整され得る。フロー通知を受信すると、ＷＬＡＮ  ＡＮ１１３および／またはＴＷＡＧ１１７は、サービスの質ポリシー情報に従って、ＤＳＣＰマーキングを８０２．１１．ｅユーザ優先度にマップする。ＷＬＡＮ  ＡＮ１１３は、次いで、関連付けられたアップリンクトラフィックフローのアクセスクラス毎にダウンリンク媒体アクセス制御（ＭＡＣ）フレームを伝送するであろう。
【００５９】
ＴＤＦ２０７からのフロー通知６Ａを受信すると、ＷｉＦｉ  ＱｏＳポリシーマネージャ２０５は、図３のメッセージ５Ａ、５Ｂ、および５Ｃに類似するメッセージ（図示せず）を通して、新しいまたは更新されたＱｏＳポリシー情報をＴＷＡＧ１１７、ＷＬＡＮ  ＡＮ１１３、および／またはＴＤＦ２０７ＰＧＷに送信し得る。ＷｉＦｉ  ＱｏＳポリシーマネージャ２０５はまた、図２のメッセージ２Ａに類似するメッセージ（図示せず）を介して、新しいＱｏＳポリシー情報をＴＤＦ２０７に送信し得る。
【００６０】
図５は、例示的通信システム１０の略図であって、１つ以上の開示される実施形態が、実装され得る。図５は、ＥＰＣ１１９へのセルラーＬＴＥおよび信頼ＷＬＡＮアクセスを提供する３ＧＰＰアーキテクチャを描写する。３ＧＰＰ技術仕様（ＴＳ）２３．４０２のセクション１６．１．１（その内容は、参照することによって本明細書に組み込まれる）に説明されるように、ＷＬＡＮ  ＡＮ１１３が、オペレータによって信頼されると見なされると、信頼ＷＬＡＮアクセスネットワーク（ＴＷＡＮ）１０１は、ユーザプレーントラフィックフローのためのＰＧＷ１０８に向かうＳ２ａインターフェース１０６によって、認証、承認、および会計のための３ＧＰＰ  ＡＡＡサーバ１０７に向かうＳＴａインターフェース１０４によって、進化型パケットコアネットワーク（ＥＰＣ）１１９に接続されることができる。ＴＷＡＮ１０１からローカルＩＰネットワーク１１１（すなわち、イントラネット）および／または直接インターネット１１１への代替経路もまた、示される。
【００６１】
３ＧＰＰ  ＬＴＥアクセスネットワーク１２１（すなわち、進化型ノードＢ）は、モビリティ管理エンティティ（ＭＭＥ）１２５との通信経路を提供する、Ｓ１−ＭＭＥインターフェース１２３を介して、ＥＰＣ１１９に接続される。Ｓ１−Ｕインターフェース１２７は、Ｓ５インターフェース１３１によってＰＧＷ１０８とインターフェースをとるサービングゲートウェイ（ＳＧＷ）１２９との通信経路を提供する。
【００６２】
「ローカルゲートウェイ」機能（Ｌ−ＧＷ）１３３は、例えば、ホームｅＮＢ（ＨｅＮＢ）展開のためのスモールセルＬＴＥアクセスを提供する。同様に、「ＨｅＮＢゲートウェイ」（ＨｅＮＢ  ＧＷ）１３５が、ＭＭＥ１２５に向かう複数のＨｅＮＢのための制御プレーン信号伝達を集めるために使用され得、ＳＧＷ１２９に向かうＨｅＮＢユーザプレーントラフィックをハンドリングするためにも使用され得る。ＨｅＮＢ管理システム（ＨｅＭＳ）１３７は、ブロードバンドフォーラム（ＢＢＦ）によって公開され、３ＧＰＰによって採用されたＴＲ−０６９規格に基づいて、ＨｅＮＢの「プラグアンドプレイ」自動構成を提供する。セキュリティゲートウェイ（ＳｅＧＷ）１３９は、ＨｅＮＢ  ＧＷ１３５を経由するＥＰＣ１１９への信頼アクセスを提供する。
【００６３】
ＷＬＡＮ  ＡＮ１１３は、１つ以上のＷＬＡＮアクセスポイント（ＡＰ）を備えている。ＡＰ（図示せず）は、ＳＷｗインターフェース１５６によるＵＥ１０２ＷＬＡＮ  ＩＥＥＥ８０２．１１リンクの終わりをなす。ＡＰは、スタンドアローンＡＰとして、または、例えば、ＩＥＴＦ  ＣＡＰＷＡＰプロトコルを使用して、無線ＬＡＮコントローラ（ＷＬＣ）に接続される「シン」ＡＰとして、展開され得る。
【００６４】
ＴＷＡＧ１１７は、ＰＧＷ１０８とのＧＴＰベースのＳ２ａインターフェース１０６の終わりをなし、そのＷＬＡＮアクセスリンク上でＵＥ１０２のためのデフォルトＩＰルータとして作用し得る。それは、ＵＥ１０２のためのＤＨＣＰサーバとしても作用し得る。ＴＷＡＧ１１７は、典型的には、ＵＥ１０２間でパケットを転送する（ＷＬＡＮ  ＡＰによって）ためのＵＥＭＡＣアドレスアソシエーション、および関連付けられたＳ２ａインターフェース１０６ＧＴＰ−Ｕトンネル（ＰＧＷ１０８による）を維持する。
【００６５】
ＴＷＡＰ１１５は、３ＧＰＰ  ＡＡＡサーバ１０７とのダイアメータベースのＳＴａインターフェース１０４の終わりをなす。ＴＷＡＰ１１５は、ＷＬＡＮ  ＡＮ１１３と３ＧＰＰ  ＡＡＡサーバ１０７（または、ローミングの場合、プロキシ）との間でＡＡＡ情報を中継する。ＴＷＡＰ１１５は、ＴＷＡＧ１１７に、層２アタッチおよびデタッチイベントの発生を知らせることができる。ＴＷＡＰ１１５は、ＵＥＭＡＣアドレスとのＵＥ加入データ（ＩＭＳＩを含む）の結合を確立し、そのような情報をＴＷＡＧ１１７に提供することができる。
【００６６】
既存のシステムでは、ＵＥ１０２は、３ＧＰＰおよび非３ＧＰＰ  ＷＬＡＮアクセスの両方のために、ＵＳＩＭ特徴を活用することができる。認証およびセキュリティのための処理は、３ＧＰＰ  ＴＳ２３．４０２のセクション４．９．１に説明されており、その内容は、参照することによって、その全体として本明細書に組み込まれる。その中に説明されるように、ＷＬＡＮ  ＡＮ１１３によって生じるもの等の非３ＧＰＰアクセス認証は、アクセス制御のために使用されるプロセスを定義し、それによって、ＥＰＣ１１９と相互作用される非３ＧＰＰ  ＩＰアクセスのリソースへの加入者のアタッチおよびその使用を許可または拒否する。非３ＧＰＰアクセス認証信号伝達は、ＵＥ１０２と３ＧＰＰ  ＡＡＡサーバ１０７とＨＳＳ１０９との間で実行される。認証信号伝達は、ＡＡＡプロキシを通過する。
【００６７】
信頼３ＧＰＰベースのアクセス認証は、ＳＴａインターフェース１０４を横断して実行される。３ＧＰＰベースのアクセス認証信号伝達は、ＩＥＴＦプロトコル、例えば、拡張可能認証プロトコル（ＥＡＰ）に基づく。ＳＴａインターフェース１０４およびダイアメータアプリケーションが、信頼非３ＧＰＰアクセスによるＥＰＣ１１９アクセスのために、ＵＥ１０２を認証および承認するために使用される。その内容が参照することによって全体として本明細書に組み込まれる、３ＧＰＰ  ＴＳ２９．２７３は、現在ＳＴａインターフェース１０４上でサポートされている、標準的ＴＷＡＮプロシージャを説明している。
【００６８】
ＧＴＰベースのＴＷＡＮ１０１を経由したＥＰＣ１１９アクセスに対して、ＩＰｖ４アドレスおよび／またはＩＰｖ６プレフィックスが、新しいＰＤＮ接続がＴＷＡＮ１０１を介してＥＰＣ１１９と確立されると、ＵＥ１０２に配分される。別個のＩＰアドレスもまた、ＴＷＡＮ１０１によって、ローカルネットワークトラフィックおよび／または直接インターネットオフロードのために配分され得る。
【００６９】
ＷＡＮ１０１を経由したＥＰＣ１１９を通したＰＤＮ接続に対して、ＴＷＡＮ１０１は、ＥＡＰ／ダイアメータまたはＷＬＣＰ信号伝達によって、関連ＰＤＮ情報を受信する。ＴＷＡＮ１０１は、ＧＴＰセッション作成要求によって、ＵＥ１０２のためのＩＰｖ４アドレスをＰＧＷ１０８から要求し得る。ＩＰｖ４アドレスは、ＧＴＰセッション作成応答により、ＧＴＰトンネル確立中にＴＷＡＮ１０１に送達される。ＵＥ１０２が、ＤＨＣＰｖ４によるＰＤＮ接続のためのＩＰｖ４アドレスを要求すると、ＴＷＡＮ１０１は、ＤＨＣＰｖ４信号伝達内で受信されたＩＰｖ４アドレスをＵＥ１０２に送達する。対応するプロシージャもまた、ＩＰｖ６のために定義される。
【００７０】
３ＧＰＰ  ＬＴＥアクセスに対して、ＵＥ１０２は、ＥＰＣ１１９へのその初期アタッチの一部として、ＰＤＮ接続を自動的にトリガする。ＵＥ１０２は、続いて、必要に応じて、追加のＰＤＮ接続を確立し得る。
【００７１】
アタッチプロシージャの主要目的は、ＵＥ１０２が、加入したサービスを受信するために、ネットワークに登録を行うことである。アタッチプロシージャは、ユーザの識別を確認し、受信可能なサービスを識別し、セキュリティパラメータを確立し（例えば、データ暗号化のために）、ネットワークにＵＥ１０２初期場所（例えば、ページングされる必要がある場合）を通知する。今日のユーザによって期待される「常時オン」ネットワーク接続をサポートするために、ＬＴＥ規格は、アタッチプロシージャの一部として、デフォルトＰＤＮ接続の確立を規定する。本デフォルト接続のための無線リソースは、非活動期間中、解放され得るが、しかしながら、接続の残りは、そのままであり、エンドツーエンド接続が、ＵＥ１０２サービス要求に応答して、無線リソースを再割り当てすることによって、迅速に再確立されることができる。
【００７２】
ＵＥ１０２が、（Ｈ）ｅＮＢ  ＬＴＥネットワーク１２１を経由してＥＰＣ１１９へのアタッチを試行すると、最初に、（Ｈ）ｅＮＢＬＴＥネットワーク１２１とＲＲＣ接続を確立し、アタッチ要求をＲＲＣ信号伝達内にカプセル化する。（Ｈ）ｅＮＢＬＴＥネットワーク１２１は、次いで、Ｓ１−ＭＭＥインターフェース１２３上のＳ１−ＡＰ信号伝達によって、アタッチ要求をＭＭＥ１２５に転送する。ＭＭＥ１２５は、ＵＥ１０２を認証し、ＥＰＣ１１９へのアタッチを可能にするために、Ｓ６ａインターフェース１２６によって、加入情報をＨＳＳ１０９から読み出す。
【００７３】
ＵＥ１０２を正常に認証後、ＭＭＥ１２５は、ＳＧＷ１２９を選択し（例えば、（Ｈ）ｅＮＢＬＴＥネットワーク１２１への近さに基づいて）、ＰＧＷ１０８も選択する（例えば、ＨＳＳ１０９から読み出されたデフォルトＡＰＮまたはＵＥ１０２によって要求される特定のＡＰＮに基づいて）。ＭＭＥ１２５は、Ｓ１１インターフェース１２４を介して、ＳＧＷ１２９と通信し、ＰＤＮ接続の作成を要求する。ＳＧＷ１２９は、信号伝達を実行し、Ｓ５インターフェース１３１を介して、指定されるＰＧＷ１０８とのＧＴＰユーザプレーントンネルを確立する。
【００７４】
「ＧＴＰ制御」信号伝達は、ＭＭＥ１２５と（Ｈ）ｅＮＢ１２１との間のＳ１−ＡＰプロトコル内で生じる。これは、最終的には、（Ｈ）ｅＮＢ１２１とＳＧＷ１２９との間のＳ１−Ｕインターフェース１２７上のＧＴＰユーザプレーントンネルの確立につながる。ＵＥ１０２とＰＧＷ１０８との間のＰＤＮ接続のための経路は、したがって、（Ｈ）ｅＮＢ１２１およびＳＧＷ１２９を通して完成される。
【００７５】
ＵＥ１０２とＰＧＷ１０８との間のＰＤＮ接続のためのエンドツーエンド経路は、したがって、（Ｈ）ｅＮＢ１２１およびＳＧＷ１２９を通して完成される。
【００７６】
通信がＴＷＡＮ１０１を経由して行われるシステムでは、ＵＥ１０２認証およびＥＰＣ１１９アタッチは、ＵＥ１０２と３ＧＰＰ  ＡＡＡサーバ１０７との間のＥＡＰ信号伝達によって遂行される。
【００７７】
ＰＤＮ接続サービスは、ＴＷＡＮ１０１とＰＧＷ１０８との間のＳ２ａベアラ１０６と連結される、ＵＥ１０２とＴＷＡＮ１０１との間の２地点間接続によって提供される。ＬＴＥモデルと異なり、ＷＬＡＮ無線リソースは、ＥＰＣ観点から、「常時オン」である。言い換えると、任意の電力節約最適化が、ＷＬＡＮ内のＩＥＥＥ８０２．１１プロシージャを使用して、透過的にハンドリングされる。
【００７８】
ＵＥ１０２が、ＴＷＡＮ１０１を経由して、ＥＰＣ１１９へのアタッチを試行すると、最初に、ＷＬＡＮ  ＡＮ１１３と層２接続を確立し、ＥＡＰメッセージをＥＡＰｏＬ信号伝達内にカプセル化する。ＷＬＡＮ  ＡＮ１１３は、ＥＡＰメッセージを、ＴＷＡＰ１１５に転送し、ＴＷＡＰ１１５は、メッセージをダイアメータ信号伝達内にカプセル化し、ＳＴａインターフェース１０４によって、メッセージを３ＧＰＰ  ＡＡＡサーバ１０７に転送する。３ＧＰＰ  ＡＡＡサーバ１０７は、ＵＥ１０２を認証し、ＥＰＣ１１９へのアタッチを可能にするために、ＳＷｘインターフェース１２８によって、加入情報をＨＳＳ１０９から読み出す。
【００７９】
３ＧＰＰリリース１１に対して、３ＧＰＰ  ＡＡＡサーバ１０７はまた、ＨＳＳ１０９内に提供されるデフォルトＰＤＮへのＰＤＮ接続を確立するために、ＳＴａインターフェース１０４によって、ＴＷＡＮ１０１に情報を提供する。ＴＷＡＮ１０１は、次いで、直接ＰＧＷ１０８に向かうＳ２ａインターフェース１０６を介して、ＧＴＰ制御プレーン（ＧＴＰ−Ｃ）およびユーザプレーン（ＧＴＰ−Ｕ）プロトコルを施行し、それによって、ＴＷＡＮ１０１を通して、ＵＥ１０２とＰＧＷ１０８との間のＰＤＮ接続を完成する。
【００８０】
３ＧＰＰリリース１２に対して、ＳａＭＯＧフェーズ−２作業項目は、ＵＥ開始ＰＤＮ接続、マルチＰＤＮ接続、およびシームレスシステム間ハンドオーバのための追加のプロシージャを定義する。単一ＰＤＮ対応ＴＷＡＮシナリオの場合、ＥＡＰ拡張は、ＵＥ開始ＰＤＮ要求およびシームレスシステム間ハンドオーバ要求をサポートするように定義される。マルチＰＤＮ対応ＴＷＡＮシナリオの場合、ＷＬＡＮ制御プロトコル（ＷＬＣＰ）が、ＵＥとＴＷＡＮとの間に定義され、１つ以上のＵＥＰＤＮ接続要求およびシームレスハンドオーバプロシージャを有効にする。しかしながら、別個のプロシージャが、依然として、ＵＥ認証のために、ＵＥと３ＧＰＰ  ＡＡＡサーバとの間で利用される。
【００８１】
図６は、ＵＥ１０２等の例示的ネットワークデバイスの系統図である。ユーザ機器（ＵＥ）は、例えば、移動局、固定もしくはモバイル加入者ユニット、ポケベル、携帯電話、携帯情報端末（ＰＤＡ）、スマートフォン、ラップトップ、ネットブック、パーソナルコンピュータ、無線センサ、消費者電子機器等の形態をとり得る。図６におけるコンピューティングデバイスアーキテクチャは、一般的であり、ＷｉＦｉサービスの質マネージャ、トラフィック検出デバイス等の任意の数の他のネットワークデバイスのために使用され得る。
【００８２】
図６に示されるように、デバイス３０は、プロセッサ３２と、送受信機３４と、伝送／受信要素３６と、スピーカ／マイクロホン３８と、キーパッド４０と、ディスプレイ／タッチパッド４２と、非取り外し可能なメモリ４４と、取り外し可能なメモリ４６と、電源４８と、全地球測位システム（ＧＰＳ）チップセット５０と、他の周辺機器５２とを含み得る。デバイス３０は、実施形態と一致したままで、先述の要素の任意の副次的組み合わせを含み得ることが理解されるであろう。
【００８３】
プロセッサ３２は、汎用プロセッサ、特殊アプリケーションプロセッサ、従来のプロセッサ、デジタル信号プロセッサ（ＤＳＰ）、複数のマイクロプロセッサ、ＤＳＰコアと関連する１つ以上のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態機械等であり得る。プロセッサ３２は、信号符号化、データ処理、電力制御、入出力処理、および／またはＭ２Ｍデバイス３０が無線環境で動作することを可能にする任意の他の機能性を果たし得る。プロセッサ３２は、伝送／受信要素３６に連結され得る、送受信機３４に連結され得る。図６は、プロセッサ３２および送受信機３４を別個の構成要素として描写するが、プロセッサ３２および送受信機３４は、電子パッケージまたはチップに一緒に組み込まれ得ることが理解されるであろう。プロセッサ３２は、アプリケーション層プログラム（例えば、ブラウザ）および／または無線アクセス層（ＲＡＮ）プログラムおよび／または通信を行い得る。プロセッサ３２は、例えば、アクセス層および／またはアプリケーション層等で、認証、セキュリティキー承諾、および／または暗号化動作等のセキュリティ動作を行い得る。
【００８４】
伝送／受信要素３６は、信号を伝送し、または、例えば、ＷＬＡＮ  ＡＮもしくは（Ｈ）ｅＮＢから信号を受信するように構成され得る。例えば、実施形態では、伝送／受信要素３６は、ＲＦ信号を伝送および／または受信するように構成されるアンテナであり得る。伝送／受信要素３６は、ＷＬＡＮ、ＷＰＡＮ、セルラー等の種々のネットワークおよび無線インターフェースをサポートし得る。実施形態では、伝送／受信要素３６は、例えば、ＩＲ、ＵＶ、または可視光信号を伝送および／または受信するように構成されるエミッタ／検出器であり得る。さらに別の実施形態では、伝送／受信要素３６は、ＲＦおよび光信号の両方を伝送および受信するように構成され得る。伝送／受信要素３６は、無線または有線信号の任意の組み合わせを伝送および／または受信するように構成され得ることが理解されるであろう。
【００８５】
加えて、伝送／受信要素３６は、単一の要素として図６で描写されているが、ＵＥ１０２は、任意の数の伝送／受信要素３６を含み得る。より具体的には、ＵＥ１０２は、ＭＩＭＯ技術を採用し得る。したがって、実施形態では、ＵＥ１０２は、無線信号を伝送および受信するための２つ以上の伝送／受信要素３６（例えば、複数のアンテナ）を含み得る。
【００８６】
送受信機３４は、伝送／受信要素３６によって伝送される信号を変調するように、および伝送／受信要素３６によって受信される信号を変調するように構成され得る。上記のように、デバイス３０は、マルチモード能力を有し得る。したがって、送受信機３４は、デバイス３０が、例えば、ＵＴＲＡおよびＩＥＥＥ８０２．１１等の複数のＲＡＴを介して通信することを可能にするための複数の送受信機を含み得る。
【００８７】
プロセッサ３２は、非取り外し可能なメモリ４４および／または取り外し可能なメモリ４６等の任意のタイプの好適なメモリから情報にアクセスし、そこにデータを記憶し得る。非取り外し可能なメモリ４４は、ランダムアクセスメモリ（ＲＡＭ）、読み取り専用メモリ（ＲＯＭ）、ハードディスク、または任意の他のタイプのメモリ記憶デバイスを含み得る。取り外し可能なメモリ４６は、加入者識別モジュール（ＳＩＭ）カード、メモリスティック、セキュアデジタル（ＳＤ）メモリカード等を含み得る。他の実施形態では、プロセッサ３２は、サーバまたはホームコンピュータ上等のデバイス３０上に物理的に位置しないメモリから情報にアクセスし、そこにデータを記憶し得る。プロセッサ３２は、種々のユーザ要求、ネットワーク条件、サービスの質ポリシー等に応答して、ディスプレイまたはインジケータ４２上の照明パターン、画像、もしくは色を制御するように構成され得る。
【００８８】
プロセッサ３２は、電源４８から電力を受け取り得、デバイス３０内の他の構成要素への電力を分配および／または制御するように構成され得る。電源４８は、デバイス３０に電力供給するための任意の好適なデバイスであり得る。例えば、電源４８は、１つ以上の乾電池バッテリ（例えば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）等）、太陽電池、燃料電池等を含み得る。
【００８９】
プロセッサ３２はまた、デバイス３０の現在の場所に関する場所情報（例えば、経度および緯度）を提供するように構成される、ＧＰＳチップセット５０に連結され得る。デバイス３０は、実施形態と一致したままで、任意の公的な場所決定方法を介して場所情報を獲得し得ることが理解されるであろう。
【００９０】
プロセッサ３２はさらに、追加の特徴、機能性、および／または有線もしくは無線接続を提供する、１つ以上のソフトウェアおよび／またはハードウェアモジュールを含み得る、他の周辺機器５２に連結され得る。例えば、周辺機器５２は、加速度計、ｅ−コンパス、衛星送受信機、センサ、デジタルカメラ（写真またはビデオ用）、ユニバーサルシリアルバス（ＵＳＢ）ポート、振動デバイス、テレビ送受信機、ハンズフリーヘッドセット、Ｂｌｕｅｔｏｏｔｈ（登録商標）モジュール、周波数変調（ＦＭ）ラジオユニット、デジタル音楽プレーヤ、メディアプレーヤ、ビデオゲームプレーヤモジュール、インターネットブラウザ等を含み得る。
【００９１】
図７は、例えば、図５の通信システム１０および図１のシステムの種々の側面が実装され得る、例示的なコンピュータシステム９０のブロック図である。コンピュータシステム９０は、コンピュータまたはサーバを備え得、主に、ソフトウェアの形態であり得るコンピュータ読み取り可能な命令によって制御され得、どこでも、またはどのような手段を用いても、そのようなソフトウェアが記憶もしくはアクセスされる。そのようなコンピュータ読み取り可能な命令は、コンピュータシステム９０を稼働させるように、中央処理装置（ＣＰＵ）９１内で実行され得る。多くの既知のワークステーション、サーバ、および周辺コンピュータでは、中央処理装置９１は、マイクロプロセッサと呼ばれる単一チップＣＰＵによって実装される。他の機械では、中央処理装置９１は、複数のプロセッサを備え得る。コプロセッサ８１は、追加の機能を果たすか、またはＣＰＵ９１を支援する、主要ＣＰＵ９１とは明確に異なる、随意的なプロセッサである。ＣＰＵ９１および／またはコプロセッサ８１は、開示されたシステムおよび方法に関係付けられるデータを受信、生成、および処理し得る。
【００９２】
動作中、ＣＰＵ９１は、命令をフェッチ、復号、および実行し、コンピュータの主要データ転送経路であるシステムバス８０を介して、情報を他のリソースへ、およびそこから転送する。そのようなシステムバスは、コンピュータシステム９０内の構成要素を接続し、データ交換のための媒体を定義する。システムバス８０は、典型的には、データを送信するためのデータライン、アドレスを送信するためのアドレスライン、ならびに割り込みを送信するため、およびシステムバスを動作するための制御ラインを含む。そのようなシステムバス８０の実施例は、ＰＣＩ（周辺構成要素相互接続）バスである。
【００９３】
システムバス８０に連結されるメモリデバイスは、ランダムアクセスメモリ（ＲＡＭ）８２および読み取り専用メモリ（ＲＯＭ）９３を含む。そのようなメモリは、情報が記憶されて取り出されることを可能にする回路を含む。ＲＯＭ９３は、概して、容易に修正することができない、記憶されたデータを含む。ＲＡＭ８２に記憶されたデータは、ＣＰＵ９１または他のハードウェアデバイスによって読み取られ、または変更されることができる。ＲＡＭ８２および／またはＲＯＭ９３へのアクセスは、メモリコントローラ９２によって制御され得る。メモリコントローラ９２は、命令が実行されると、仮想アドレスを物理的アドレスに変換する、アドレス変換機能を提供し得る。メモリコントローラ９２はまた、システム内のプロセスを分離し、ユーザプロセスからシステムプロセスを分離する、メモリ保護機能を提供し得る。したがって、第１のモードで作動するプログラムは、独自のプロセス仮想アドレス空間によってマップされるメモリのみにアクセスすることができ、プロセス間のメモリ共有が設定されていない限り、別のプロセスの仮想アドレス空間内のメモリにアクセスすることができない。
【００９４】
加えて、コンピュータシステム９０は、ＣＰＵ９１からプリンタ９４、キーボード８４、マウス９５、およびディスクドライブ８５等の周辺機器に命令を伝達する責任がある、周辺機器コントローラ８３を含み得る。
【００９５】
ディスプレイコントローラ９６によって制御されるディスプレイ８６は、コンピュータシステム９０によって生成される視覚出力を表示するために使用される。そのような視覚出力は、テキスト、グラフィックス、動画グラフィックス、およびビデオを含み得る。ディスプレイ８６は、ＣＲＴベースのビデオディスプレイ、ＬＣＤベースのフラットパネルディスプレイ、ガスプラズマベースのフラットパネルディスプレイ、またはタッチパネルを伴って実装され得る。ディスプレイコントローラ９６は、ディスプレイ８６に送信されるビデオ信号を生成するために必要とされる、電子構成要素を含む。
【００９６】
さらに、コンピュータシステム９０は、ＷＬＡＮ  ＡＮ等の外部通信ネットワークにコンピュータシステム９０を接続するために使用され得る、ネットワークアダプタ９７を含み得る。
【００９７】
本明細書で説明されるシステム、方法、およびプロセスのうちのいずれかまたは全ては、命令が、コンピュータ、サーバ、ＵＥ等の機械によって実行されると、本明細書で説明されるシステム、方法、およびプロセスを行うおよび／または実装する、コンピュータ読み取り可能な記憶媒体上に記憶されたコンピュータ実行可能命令（すなわち、プログラムコード）の形態で具現化され得ることが理解される。具体的には、上記で説明されるステップ、動作、または機能のうちのいずれかは、そのようなコンピュータ実行可能命令の形態で実装され得る。コンピュータ読み取り可能な記憶媒体は、情報の記憶のための任意の方法または技術で実装される、揮発性および不揮発性、取り外し可能なおよび非取り外し可能な媒体の両方を含むが、そのようなコンピュータ読み取り可能な記憶媒体は、信号を含まない。コンピュータ読み取り可能な記憶媒体は、ＲＡＭ、ＲＯＭ、ＥＥＰＲＯＭ、フラッシュメモリまたは他のメモリ技術、ＣＤ−ＲＯＭ、デジタル多用途ディスク（ＤＶＤ）または他の光学ディスク記憶装置、磁気カセット、磁気テープ、磁気ディスク記憶装置または他の磁気記憶デバイス、もしくは所望の情報を記憶するために使用することができ、コンピュータによってアクセスすることができる任意の他の物理的媒体を含むが、それらに限定されない。
【００９８】
図で図示されるような本開示の主題の好ましい実施形態を説明する際に、明確にするために、特定の用語が採用される。しかしながら、請求された主題は、そのように選択された特定の用語に限定されることを目的としておらず、各特定の要素は、類似目的を達成するように同様に動作する、全ての技術的均等物を含むことを理解されたい。
【００９９】
本明細書は、最良の様態を含む、本発明を開示するために、また、当業者が、任意のデバイスまたはシステムを作製して使用すること、および任意の組み込まれた方法を行うことを含む、本発明を実践することを可能にするために、実施例を使用する。本発明の特許性のある範囲は、請求項によって定義され、当業者に想起される他の実施例を含み得る。そのような他の実施例は、請求項の文字通りの言葉とは異ならない構造要素を有する場合に、または請求項の文字通りの言葉とのごくわずかな差異を伴う同等の構造要素を含む場合に、請求項の範囲内であることを目的としている。
【図１】
0006258472.tif 000008
【図２】
0006258472.tif 000009
【図３】
0006258472.tif 000010
【図４】
0006258472.tif 000011
【図５】
0006258472.tif 000012
【図６】
0006258472.tif 000013
【図７】
0006258472.tif 000014